(57)【特許請求の範囲】
【請求項１】
筆記用の中芯と、この筆記用の中芯が内挿される筆軸と、この筆軸の先端に装着されるとともに、前記筆記用の中芯の先端部が貫通させられて外部へ突出させられる貫通孔が形成された先部材とを備え、前記先部材には、前記貫通孔に連続しかつ先部材の後方に行くにしたがい漸次拡径する円錐状の空間が形成され、前記固定部材が、前記先部材の空間の大径部に、その軸方向に移動自在に配設されるとともに、前記筆軸の先端に当接させられる環状の基部と、この基部から前記先部材の貫通孔へ向けて延設され、前記先部材の内面に沿って弾性変形させられることにより、前記先部材と中芯との間に圧入される挟持部とによって形成されていることを特徴とする筆記具。
【請求項２】
前記挟持部の先端部が、前記先部材の貫通孔の内面とこの貫通孔に嵌合させられる筆記用の中芯との隙間から外部へ突出させられているとともに、その突出させられた部分の外周部に、前記先部材の先端部外面に係合させられる係合段部が形成されていることを特徴とする請求項１に記載の筆記具。
【請求項３】
前記挟持部が周方向に沿って複数に分割されていることを特徴とする請求項１または請求項２の何れかに記載の筆記具。
【請求項４】
前記固定部材の前記筆軸との当接部に、この筆軸の長さ方向に弾性変形可能な伸縮部が形成されていることを特徴とする請求項１ないし請求項３の何れかに記載の筆記具。
【発明の詳細な説明】
【０００１】
【産業上の利用分野】
本発明は、筆記具に係わり、特に、筆記用の中芯が中空状の筆軸内に装着された構成を有する筆記具に関するものである。
【０００２】
【従来の技術】
従来、筆記具として、筆記用の中芯が中空状の筆軸内に装着された構成を有する筆記具が知られており、この種の筆記具は、主に、図１１に示す構成となされている。
【０００３】
詳述すれば、図１１において符号１で示す筆記具は、インキ等をボールの回転によって筆記面へ付着させるようにしたいわゆるボールペンであり、筆記用の中芯２と、この中芯２が内挿される中空状の筆軸３と、この筆軸３の後端部に螺着される後部キャップ４と、前記軸筆３の先端部に螺着される先部材５とによって構成されている。
【０００４】
そして、前記中芯２は、インキが充填されたインキ収納管６と、このインキ収納管６の先端部に取り付けられ、インキ導出用のボール７が回転自在に装着されたチップ８とによって構成され、前記インキ収納管６は、主に合成樹脂によって形成され、また、前記チップ８は金属あるいは合成樹脂によって形成されている。
【０００５】
また、前記後部キャップ４には、前記インキ収納管６の後端部が嵌着させられることにより、前記中芯２が固定される中芯保持孔４ａが形成され、さらに、前記先部材５は、先細りとなる漏斗状に形成されているとともに、その先端部には、前記筆軸３内に保持された状態にある中芯２のチップ８が貫通させられて、その先端部分が外部へ突出させられる貫通孔５ａが形成されている。
【０００６】
そして、このような筆記具１は、中芯２に充填されているインキを使い切った場合、使用済みの中芯２を取り替えることによって再使用可能であることから、経済的な利点が大きく、また、油性インキのみならず水溶性インキやこの水溶性インキを改良した剪断減粘性インキ等、多種多様なインキを用いた筆記具へ適用されている。
【０００７】
一方、このような筆記具１においては、筆記時の筆圧の軸線方向成分が、前記チップ８およびインキ収納管７を介して前記後部キャップ４に支持され、また、軸線と直交する成分が、前記チップ８と貫通孔５ａの内壁との当接により前記先部材５に支持されて、筆記が行なわれるようになっている。
【０００８】
【発明が解決しようとする課題】
ところで、このような従来の筆記具１においては、つぎのような改善すべき問題点が残されている。
【０００９】
すなわち、前記筆記具１においては、前記先部材５の先端部分に貫通孔５ａを形成して、この貫通孔５ａを介して、中芯２のチップ８の先端を先部材５の外部へ突出させるようにしているが、このチップ８の挿通を確実に行なうために、前記貫通孔５ａやチップ８の製造時における寸法のばらつき等を考慮して、前記貫通孔５ａの内径をチップ８の外径よりも若干大きくしており、これに起因して、前記貫通孔５ａの内面とチップ８の外面との間に、図１１に示すように隙間ｇが形成され、この隙間ｇの存在によりチップ８ががたついてしまうといった問題点である。
【００１０】
そして、このように、チップ８が先部材５内においてがたつくと、筆記や持ち運びの際に、チップ８が貫通孔５ａの内壁に衝突させられることによって異音が発生したり、あるいは、筆記時のチップ８のぐらつきにより筆跡が乱れてしまうといった不具合が発生する。
【００１１】
本発明は、前述した従来の問題点に鑑みてなされたもので、筆記用の中芯とこの中芯が貫通される先部材とのがたつきが防止された筆記具を提供することを目的とする。
【００１２】
【課題を解決するための手段】
本発明の請求項１に記載の筆記具は、前述した目的を達成するために、筆記用の中芯と、この筆記用の中芯が内挿される筆軸と、この筆軸の先端に装着されるとともに、前記筆記用の中芯の先端部が貫通させられて外部へ突出させられる貫通孔が形成された先部材とを備え、前記先部材には、前記貫通孔に連続しかつ先部材の後方に行くにしたがい漸次拡径する円錐状の空間が形成され、前記固定部材が、前記先部材の空間の大径部に、その軸方向に移動自在に配設されるとともに、前記筆軸の先端に当接させられる環状の基部と、この基部から前記先部材の貫通孔へ向けて延設され、前記先部材の内面に沿って弾性変形させられることにより、前記先部材と中芯との間に圧入される挟持部とによって形成されていることを特徴とする。
【００１４】
本発明の請求項２に記載の筆記具は、請求項１における前記挟持部の先端部が、前記先部材の貫通孔の内面とこの貫通孔に嵌合させられる筆記用の中芯との隙間から外部へ突出させられているとともに、その突出させられた部分の外周部に、前記先部材の先端部外面に係合させられる係合段部が形成されていることを特徴とする。
【００１５】
また、本発明の請求項３に記載の筆記具は、請求項１または請求項２における前記挟持部が、周方向に沿って複数に分割されていることを特徴とする。
【００１６】
さらに、本発明の請求項４に記載の筆記具は、請求項１ないし請求項３において、固定部材の筆軸との当接部に、この筆軸の長さ方向に弾性変形可能な伸縮部が形成されていることを特徴とする。
【００１７】
【作用】
本発明の請求項１に記載の筆記具によれば、中芯を筆軸内に装着した後に、この筆軸の先端部に先部材を位置合わせし、ついで、この先部材に形成されている貫通孔内に前記中芯を挿入しつつ、この先部材を筆軸に軸方向に沿って装着することにより組み上げられる。
【００１８】
そして、前記先部材の筆軸への装着によって、前記先部材内に装着されている固定部材が、前記先部材と筆軸とによって挟持されることにより、先部材の内面によって、先部材の中心部へ向けて弾性変形させられて、その中心部に配置されている中芯の先端部（チップ）へ圧接させられる。
【００１９】
これによって、先部材と中芯とが固定部材を介して一体化されて、この中芯のがたつきが防止される。
【００２０】
また、先部材を筆軸の先端部へ装着することにより、この先部材とともに固定部材が前記筆軸の先端面へ向けて移動させられる。
【００２１】
そして、さらなる先部材と筆軸との相対移動により、固定部材の基部が筆軸の先端に当接させられて、この固定部材の移動が停止された後に、前記先部材の内面に当接させられている挟持部が、前記先部材の先細り状に円錐状に形成された内面によって、先部材の中心部へ向けて弾性変形させられる。
【００２２】
これによって、前記中芯が、挟持部によって周方向から挟持固定されることとなり、この中芯と先部材とが、周方向において均一に固定される。
【００２３】
また、本発明の請求項２に記載の筆記具によれば、固定部材の挟持部の先端部が、先部材の貫通孔から外部へ突出させられているとともに、その突出部分に、前記先部材の先端面に係合する係合段部が設けられていることにより、先部材を筆軸から取り外した状態において、前記係合段部と先部材との係合により、固定部材の先部材からの離脱が阻止される。
【００２４】
これによって、たとえば、中芯を交換する場合等において、先部材を筆軸から取り外しても、この先部材と固定部材とが一体的に取り扱われ、固定部材の紛失が防止されるとともに、再装着の操作が簡素化される。
【００２５】
また、本発明の請求項３に記載の筆記具によれば、固定部材の挟持部が周方向に複数に分割されていることにより、この挟持部の中芯に向かう変形が容易となり、これによって挟持部による中芯の固定が一層確実に行なわれる。
【００２６】
さらに、本発明の請求項４に記載の筆記具によれば、固定部材が先部材と筆軸との間に挟持された際に、これらの固定部材や先部材の寸法にばらつきがあったとしても、固定部材に設けられている伸縮部が弾性変形させられることにより、前述した寸法のばらつきが吸収される。
【００２７】
したがって、前記固定部材の軸方向の長さを設計値よりも若干大きく形成しておくことにより、固定部材と中芯との接触が確実に得られるとともに、先部材と筆軸との嵌合位置が一定となされる。
【００２８】
【実施例】
以下、本発明の一実施例について、図１ないし図３、および、図５、図６に基づき説明する。
なお、以下の説明中、図１１に示す従来例と共通する部分については同一符号を用いて説明を簡略化する。
【００２９】
図１において符号１０は、本実施例に係わる筆記具を示し、この筆記具１０は、筆記用の中芯１１と、この筆記用の中芯１１が内挿される筆軸１２と、この筆軸１２の先端に装着されるとともに、前記筆記用の中芯１１の先端部が貫通させられて外部へ突出させられる貫通孔１３ａが形成された（図５および図６参照）先部材１３とを備え、前記先部材１３の内部には、この先部材１３と前記筆軸１２とに挟み込まれることにより、前記先部材１３によってその径方向内側へ向けて弾性変形させられて、前記中芯１１へ圧接させられる固定部材１４が設けられた概略構成となっている。
【００３０】
ついでこれらの詳細について説明すれば、前記中芯１１は、インキ収納管６と、このインキ収納管６の先端に接続され、インキ導出用のボール７が装着されたチップ８とによって構成されており、前記筆軸１２内に挿入されるとともに、その後端部が、前記筆軸１２の後端に螺着されている後部キャップ４内に嵌合させられることによって、前記筆軸１２に、軸方向の位置決めがなされた状態で仮保持されている。
【００３１】
前記先部材１３は、先端が小径となされた略漏斗状に形成されており、その後部の大径部において、前記筆軸１２の先端部に螺子１５を介して螺着され、その内部に、前記固定部材１４が軸方向に移動自在に装着されている。
【００３２】
この固定部材１４は、合成樹脂等の弾性材料によって形成され、本実施例においては、図１に示すように、前記先部材１３の貫通孔１３ａの内径よりも大きな外径を有する環状の基部１４ａと、図１および図２に示すように、この基部１４ａの一端部から軸方向に沿って突設された挟持部１４ｂとによって構成されており、この挟持部１４ｂは、図３に示すように、前記基部１４ａの周方向に間隔をおいて４箇所に設けられている。
【００３３】
また、これらの挟持部１４ｂの先端部には、軸直角方向外方へ向かって突出する係合突起１４ｃが一体に形成されており、この係合突起１４ｃの、前記基部１４ａ側の面が、図５に示すように、前記先部材１３の先端面に係合させられる係合段部１４ｄとなされている。
【００３４】
さらに、本実施例においては、前記基部１４ａの、前記筆軸１２の先端面に対向させられる部分が、前記筆軸１２へ向かうにしたがって薄肉となるようにテーパー状に形成されて、弾性変形可能な伸縮部１４ｅとなされている。
【００３５】
そして、前記固定部材１４は、前記先部材１３が筆軸１２に対して所定位置まで螺合させられ、かつ、前記各挟持部１４ｂが先部材１３によって前記中芯１１へ所定圧力で圧接させられる位置に位置させられた状態において、前記基部１４ａの筆軸１２と対向する端部が、この筆軸１２の先端面よりも筆軸１２の後方側へ所定長さ入り込むような寸法に設定されており、この重複した寸法分が、前記基部１４ａの伸縮部１４ｅの弾性変形によって吸収されるようになっている。
【００３６】
ついで、このように構成された本実施例の筆記具１０の組み立て方法について説明する。
【００３７】
まず、筆軸１２の後端部に後部キャップ４を取り付け、この筆軸１２の先端開口から中芯１１を、その後部側から挿入して、この中芯１１の後端部を前記後部キャップ４の中芯保持孔４ａ内へ嵌合することによって、中芯１１を筆軸１２に仮固定する。
【００３８】
また、先部材１３の後部開口から固定部材１４を、その挟持部１４ｂ側から挿入し、各挟持部１４ｂの先端に設けられている係合突起１４ｃを、前記先部材１３の貫通孔１３ａから先部材１３の前方へ突出させた状態とする。
【００３９】
このような固定部材１４の装着操作に際して、前記各挟持部１４ｂは、その先端の係合突起１４ｃが先部材１３の内面を摺動させられることにより、この内面によって径方向内方へ向けて傾動させられ、前記係合突起１４ｃが、前記先部材１３の外方へ突出させられた時点で、自らの弾性力により、径方向外方へ向けて変形させられる。
【００４０】
このとき、各挟持部１４ｂの外周面が、各挟持部１４ｂの弾性力によって先部材１３の貫通孔１３ａの内面へ当接させられ、かつ、各挟持部１４ｂの係合段部１４ｄが前記先部材１３の先端面へ対向させられた状態となされており、前記固定部材１４が先部材１３から離脱する方向に移動させられた際に、前記係合段部１４ｄと先部材１３の先端面とが当接させられることにより、その離脱が防止されるようになっている。
【００４１】
ついで、このように固定部材１４が装着された先部材１３を、中芯１１が装着されている筆軸１２の先端に位置合わせするとともに、筆軸１２の先端から突出させられている中芯１１を固定部材１４に挿入しつつ、前記先部材１３を螺子１５を介して筆軸１２へ螺合することによって、図１に示すように、本実施例の筆記具１０が組み上げられる。
【００４２】
そして、前記先部材１３を筆軸１２へ螺合する際に、その初期段階においては、図５に示すように、固定部材１４の基部１４ａは筆軸１２の先端面から離間させられており、先部材１３の螺合の進行に伴って、この先部材１３とともに前記固定部材１４が筆軸１２の先端面へ向けて移動させられるが、この時点において、前記固定部材１４の各挟持部１４ｂが、先部材１３の貫通孔１３ａの内面へ当接させられて、これらの挟持部１４ｂの間が大きく開放されていることにより、この固定部材１４内に挿入される中芯１１の先端部が、前記各挟持部１４ｂ間を通って、前記先部材１３の先端から外部へ突出させられる。
【００４３】
このような状態から前記先部材１３の螺合を進めると、先部材とともに移動させられている固定部材１４の基部１４ａが筆軸の先端面に当接させられることにより、この固定部材１４の移動が停止させられるが、さらなる先部材１３の螺合の進行により、この先部材１３が固定部材１４の基部１４ａへ向けて相対移動させられる。
【００４４】
ここで、前記先部材１３の貫通孔１３ａの内径が、前記固定部材１４の基部１４ａの外径よりも小さく形成されていることから、前述した先部材１３と固定部材１４との相対移動により、この先部材１３の貫通孔１３ａの内面によって、前記各挟持部１４ｂが、その先端部が径方向内方へ向かうように傾動させられて、その内側に位置させられている中芯１１（チップ８）の外面に圧接させられる。
【００４５】
これによって、図６に示すように、前記中芯１１が、複数の挟持部１４ｂによって挟持されることにより、前記先部材１３へ固定される。
したがって、中芯１１と先部材１３との間のがたつきがなくなり、搬送時や筆記時の中芯１１と先部材１３との衝突による異音の発生が防止されるとともに、筆記時におけるぐらつきがなくなり、筆跡の乱れが防止される。
【００４６】
そして、前記先部材１３によって傾動させられる挟持部１４ｂの傾動量は、先部材１３と固定部材１４との軸方向の相対移動量に比例して連続的に変化させられることから、前記中芯１１（チップ８）や先部材１３あるいは固定部材１４の寸法にばらつきがある場合においても、これらのばらつきを吸収して中芯１１の挟持・固定が確実に行なわれる。
【００４７】
しかも、本実施例においては、中芯１１の挟持が４個の挟持部１４ｂによって行なわれていることにより、この中芯１１に対する挟持力が、中芯１１の周面に均一に作用させられ、この点からも中芯１１の固定が確実かつ安定して行なわれる。
【００４８】
また、本実施例においては、各挟持部１４ｂの先端に設けられている係合突起１４ｃと先部材１３の先端面との係合により、この固定部材１４の先部材１３からの離脱が防止されていることから、中芯１１を交換する場合等において、先部材１３を筆軸１２から取り外しても、前記固定部材１４を紛失するようなことはなく、また、これらが一体的に取り扱われることから、先部材１３の脱着操作が簡便に行なわれる。
【００４９】
一方、前記固定部材１４を、前記先部材１３が筆軸１２に対して所定位置まで螺合させられ、かつ、前記各挟持部１４ｂが先部材１３によって前記中芯１１へ所定圧力で圧接させられる位置に位置させられた状態において、前記基部１４ａの筆軸１２と対向する端部が、この筆軸１２の先端面よりも筆軸１２の後方側へ所定長さ入り込むような寸法に設定しておき、かつ、前記固定部材１４の、前記筆軸１２の先端面に対向させられる部分を、前記筆軸１２へ向かうにしたがって薄肉となるようにテーパー状として弾性変形可能な伸縮部１４ｅとしておくことにより、この重複した寸法分が、図７に示すように、前記基部１４ａの伸縮部１４ｅの弾性変形によって吸収され、先部材１３や固定部材１４に寸法のばらつきがある場合においても、そのばらつきが前記伸縮部１４ｅの弾性変形によって吸収される。
【００５０】
この結果、先部材１３と筆軸１２とが所定の位置まで確実に螺合させられて、両者間に隙間が生じるようなことはなく、かつ、各挟持部１４ｂによる過度の挟圧作用が防止され、中芯１１の保持力が適切に保持される。
【００５１】
なお、前記実施例において示した各構成部材の諸形状や寸法等は一例であって、設計要求等に基づき種々変更可能である。
【００５２】
たとえば、前記実施例において固定部材１４を構成する基部１４ａを連続した環状体とした例について示したが、図４に示すように、一部に不連続部Ｓを形成した基部１６ａを備えた固定部材１６とすることも可能である。
このような構成とすることにより、基部１６ａ自体にも径方向への弾性変形機能が与えられて、この基部１６ａに連設される挟持部１６ｂの傾動時における姿勢変化の自由度が高められて、中芯１１を挟持する際の、各挟持部１６ｂと中芯１１とのなじみがよくなる。
【００５３】
また、径方向に沿う分割溝を固定部材１４の周方向に９０度の間隔で形成することにより、挟持部１４ｂを４個とした例について示したが、前記分割溝の間隔を、図８（ａ）に示すように１２０度として、３個の挟持部１７ｂを有する固定部材１７としてもよく、その数は任意に設定することが可能であり、さらに、図８（ｂ）に示すように、１個の挟持部１８ｂを有する固定部材１８とすることも可能である。
【００５４】
さらに、図９および図１０に符号１９で示す固定部材のように、基部１９ａに連設される挟持部１９ｂを連続した環状体とし、この挟持部１９ｂの先端部に係合突起１９ｃや係合段部１９ｄを形成した構成とすることも可能である。
【００５５】
この場合においては、前記挟持部１９ｂが先部材１３によって縮径方向に弾性変形させられることにより、前記中芯１１の外周に圧接させられて、この中芯１１の挟持を行なう。
【００５６】
【発明の効果】
以上説明したように、本発明の請求項１に係わる筆記具によれば、先部材を筆軸へ装着することによって、前記先部材内に装着されている固定部材を、前記先部材と筆軸とによって挟持するとともに、先部材の内面によって先部材の中心部へ向けて弾性変形させることにより、その中心部に配置されている中芯の先端部へ圧接させ、これによって、先部材と中芯とを固定部材を介して一体化することができる。
この結果、先部材に対する中芯のがたつきを防止することができるとともに、このがたつきに起因した異音の発生を防止し、かつ、中芯のぐらつきによる筆跡の乱れを防止することができる。
【００５７】
また、先部材を筆軸へ装着することにより、固定部材の基部を筆軸の先端に当接させて、この固定部材の移動を停止させた後に、前記基部に連設されている挟持部を、先部材の先細り状の内面によって中心部へ向けて弾性変形させて、この先部材の先端内面と中芯とによって形成されている狭隘部へ圧入することができる。
【００５８】
これによって、前記中芯を、前記挟持部によって周方向から挟持固定することにより、中芯を周方向において均一に固定することができ、安定した固定を行なうことができる。
【００５９】
また、本発明の請求項２に係わる筆記具によれば、固定部材の挟持部の先端部を、先部材の貫通孔から外部へ突出させ、その突出部分に、前記先部材の先端面に係合する係合段部を設けたことにより、先部材を筆軸から取り外した状態において、前記係合段部と先部材との係合により、固定部材の先部材からの離脱を防止することができる。
【００６０】
これによって、たとえば、中芯を交換する場合等において、先部材を筆軸から取り外しても、この先部材と固定部材とを一体的に取り扱うことができ、固定部材の紛失を防止することができるとともに、先部材の脱着操作を簡便なものとすることができる。
【００６１】
また、本発明の請求項３に係わる筆記具によれば、挟持部を周方向に複数に分割することにより、この挟持部の中芯へ向かう弾性変形を容易にして、この中芯の固定を円滑にかつ確実に行なわせることができる。
【００６２】
さらに、本発明の請求項４に係わる筆記具によれば、固定部材の、筆軸との当接部に、筆軸の長さ方向に弾性変形可能な伸縮部が形成されていることにより、先部材や固定部材に寸法のばらつきがある場合においても、そのばらつきを前記伸縮部の弾性変形によって吸収することができ、部品の要求精度を緩やかにして、歩留まりの向上を図ることができる。
【００６３】
そして、前記固定部材の長さを、設計値よりも若干長くしておくことにより、前記伸縮部の弾性変形によって、先部材の移動を許容して、挟持部による中芯の挟持力を確保しつつ、前記先部材と筆軸とを所定の位置まで確実に螺合させることができ、かつ、挟持部による中芯の過度の挟圧を防止することができる。
【図面の簡単な説明】
【図１】本発明の一実施例を示す縦断面図である。
【図２】本発明の一実施例に用いられる固定部材の拡大側面図である。
【図３】本発明の一実施例に用いられる固定部材の拡大正面図である。
【図４】本発明の他の実施例を示すもので、固定部材の拡大正面図である。
【図５】本発明の一実施例の作用説明図で、先部材を筆軸に取り付ける際の初期状態を示す要部の縦断面図である。
【図６】本発明の一実施例の作用説明図で、先部材を筆軸に取り付けた状態を示す要部の縦断面図である。
【図７】本発明の他の実施例を示すもので、先部材を筆軸に取り付けた状態を示す要部の縦断面図である。
【図８】本発明の他の実施例を示すもので、固定部材の拡大正面図である。
【図９】本発明のさらに他の実施例を示すもので、固定部材の拡大側面図である。
【図１０】本発明の他の実施例を示すもので、固定部材の拡大正面図である。
【図１１】一従来例を示す縦断面図である。
【符号の説明】
１０  筆記具
１１  中芯
１２  筆軸
１３  先部材
１４・１６・１７・１８・１９  固定部材
１４ａ・１６ａ・１７ａ・１８ａ・１９ａ  基部
１４ｂ・１６ｂ・１７ｂ・１８ｂ・１９ｂ  挟持部
１４ｃ・１９ｃ  係合突起
１４ｄ・１９ｄ  係合段部
１４ｅ  伸縮部
【図１】
0003799662.tif 000002
【図２】
0003799662.tif 000003
【図３】
0003799662.tif 000004
【図４】
0003799662.tif 000005
【図５】
0003799662.tif 000006
【図６】
0003799662.tif 000007
【図７】
0003799662.tif 000008
【図８】
0003799662.tif 000009
【図９】
0003799662.tif 000010
【図１０】
0003799662.tif 000011
【図１１】
0003799662.tif 000012